(57)【要約】【課題】各種態様の培地に植生する苺等作物の株元側に簡単に設置することができて、実や花や葉等を培地に接触させることなく適正姿勢に支持することができると共に、小型軽量構造の廉価な栽培資材として、苺栽培の玉載せ作業や保管運搬等を容易にすることができる作物の栽培補助具を提供する。【解決手段】耐候性を有する板部材からなる本体部を、下向き湾曲状の断面にすると共に、培地に栽培される苺やレタス等の栽培作物の１株又は数株に相当する長さを有する樋状に形成することにより、栽培作物の株元側に位置変更自在に近接設置させて使用する。【選択図】図３
2015000052.tif 000002
【特許請求の範囲】
【請求項１】
耐候性を有する板部材からなる本体部を、下向き湾曲状の断面にすると共に、培地に栽培される苺やレタス等の栽培作物の１株又は数株に相当する長さを有する樋状に形成することにより、栽培作物の株元側に位置変更自在に近接設置させて使用することができる栽培補助具。
【請求項２】
前記本体部の平面視における形状を台形状にすると共に、本体部の側面視における大きさを、苺栽培時に果梗に付く実が株元側から頂部（１ａ）を越えて反株元側でも支持することができる高さと幅にする請求項１に記載の栽培補助具。
【請求項３】
前記本体部を、長さ方向に略直交する縦方向の凹凸を有する蛇腹面（８ａ）からなる樋状蛇腹体にする請求項１又は請求項２に記載の栽培補助具。
【請求項４】
前記本体部に、雨水を通過させる孔（７）を多数形成した請求項１乃至請求項３のいずれかに記載の栽培補助具。
【発明の詳細な説明】
【技術分野】
【０００１】
本発明は、作物の栽培補助具に関する。
【背景技術】
【０００２】
従来、苺栽培において苺実を品質よく収穫するために、受光高さや角度を選定し実の完熟を促すと共に、畝床（マルチ面）の急昇温による果実の火傷及び雨水による実腐食や害虫被害を防止する農作物栽培用の櫓網床装置が、特許文献１で示されるように栽培補助具として既に公知である。
【先行技術文献】
【特許文献】
【０００３】
【特許文献１】特開２００３−２２５０２３号公報
【発明の概要】
【発明が解決しようとする課題】
【０００４】
上記櫓網床装置は、栽培収穫位置を高くすることにより苺の品質および栽培の作業性と生産性を向上する利点を有している一方、小規模農家や家庭菜園で自家消費用として栽培する栽培補助具として使用することに困難性を伴うものである。即ち、この櫓網床装置は、櫓支柱や可変棚支柱及び櫓網や床棟紐等の多くの部材を組み合わせた複雑且つコスト高な櫓網構造であり、培地への設置に熟練を要すること、また畝（培地）の中央部に設置される櫓網に沿って苺株を予め精度よく１列状に植付けて栽培しなければならないものである。従って、少量の苺株を手間をかけることなく目視によって植付けをしたい小規模の栽培では使用し難いものになる等の課題がある。
他方、苺を上記のような小規模露地栽培で行なう際には、一般にマルチフィルムで覆った畝、又は庭先の畑や栽培容器の地面を籾殻や敷き藁で覆った培地で栽培することにより、降雨や散水（給水）時の土の跳ね返り汚損を防止することができる。然しながらこの場合にも、雨水が実とマルチフィルム或いは籾殻との間に長時間保持されることによる腐食や肌劣化を防ぐことは困難であると共に、ダンゴムシやナメクジ等の虫害は避けさられないものである。そこで本発明に先立ち幅１００ミリ程度、長さ２００ミリ程度の大きさで製作した木片を苺実の下に敷設することを試みた。この場合には土付着等の汚れは良好に防止できるものの、木片が吸水によって実との間にカビを生じ易い等の衛生上の欠点があると共に、平坦な木片の裏面とマルチフィルムや籾殻培地との間に虫が住みつくこと、及びダンゴムシは表面に容易に登るため実を食して虫害を生ずるものであった。
【課題を解決するための手段】
【０００５】
上記課題を解決するため本発明は、第１に、耐候性を有する板部材からなる本体部を、下向き湾曲状の断面にすると共に、培地に栽培される苺やレタス等の栽培作物の１株又は数株に相当する長さを有する樋状に形成することにより、栽培作物の株元側に位置変更自在に近接設置させて使用することを特徴としている。
第２に、前記本体部の平面視における形状を台形状にすると共に、本体部の側面視における大きさを、苺栽培時に果梗に付く実が株元側から頂部１ａを越えて反株元側でも支持することができる高さと幅にすることを特徴としている。
第３に、前記本体部を、長さ方向に略直交する縦方向の凹凸を有する蛇腹面８ａからなる樋状蛇腹体にすることを特徴としている。
第４に、前記本体部に、雨水を通過させる孔７を多数形成することを特徴としている。
【発明の効果】
【０００６】
請求項１の発明によれば、耐候性を有する板部材からなる本体部を、下向き湾曲状の断面にすると共に、培地に栽培される苺やレタス等の栽培作物の株又は数株に相当する長さを有する樋状に形成することにより、苺やレタス等の栽培作物の培地で株元側に位置変更可能に接近させて設置することができるため、各種態様の培地において苺等作物の株元側に単独又は複数組み合わせて設置使用することができ、実や花や葉等を培地に接触させることなく適正姿勢に支持することができる。また側面視で湾曲する栽培補助具は、降雨や散水時の水を頂部で分水しながら傾斜面によって速やかに滑落させて表面の乾燥を促進すると共に、裏面と培地との間に空間スペースを形成して湿地や暗所にしないため、ダンゴムシ等の集合を抑制して栽培を品質よく行うことができる。また栽培補助具は、湾曲したスペースを利用して培地の立壁に安定よく載せ掛けて使用することができると共に、スペース内に虫忌避剤や肥料を置くことができるので効能の持続を図ることができる。また栽培補助具は小型軽量構造によって簡単に製作することができると共に、耐久性の高い廉価な栽培資材として長期間使用することができ、且つ苺の玉載せ作業時等で使用を容易にしたり使用後の簡便な保管も可能にして、苺等作物の露地栽培を快適に促進することができる。
請求項２の発明によれば、本体部の平面視における形状を台形状にすると共に、本体部の側面視における大きさを、苺栽培時に果梗に付く実が株元側から頂部を越えて反株元側でも支持することができる高さと幅にすることにより、作物の株元周りに短辺側を株元側として差し込み易くすることができ、設置位置で長辺側を葉先側として苺実や果梗等を広い表面で安定的に支持することができる。また台形状の栽培補助具は、同長さのパイプ又は帯板状の素材を斜めに切断することにより多数のものを素材効率を高めながら簡単に製作することができる。
請求項３の発明によれば、前記本体部を、長さ方向に略直交する縦方向の凹凸を有する蛇腹面からなる樋状蛇腹体にすることにより、栽培補助具を真直形状並びに適正な湾曲形状を自由に選択形成して使用することができるため、１つの栽培補助具によって作物とその性状に適応した形状によって培地や栽培容器に設置することができ多様な作物の栽培を品質よく行うことができる。この際に、アルミ製の樋状蛇腹体からなる換気管と同様な素材によって製作した栽培補助具は、アルミ材特有の綺麗なシルバー反射色と蛇腹模様による独特な意匠的美観を創出するため、虫忌避作用や完熟作用を目的とした使用に効果的であると共に、作物を家屋内等で容器栽培をする際にデスプレー的装飾性を兼ね備えた新規的使用と、アルミ製換気管技術の新用途展開を可能にする等の特徴がある。
請求項４の発明によれば、前記本体部に雨水を通過させる大きさの孔を多数形成したことにより、栽培補助具は、水を孔から速やかに通過させ作物の実や葉等と栽培補助具との接触部における水停滞及び本体部の昇温を抑制する。また多数の孔によって栽培補助具の下方を暗所にしないため、ダンゴムシ等の集合を防止し虫被害を抑制して品質のよい栽培を行うことができる。
【図面の簡単な説明】
【０００７】
【図１】栽培補助具の平面図である。
【図２】図１の側面図である。
【図３】栽培補助具を苺栽培に利用した使用例を示す斜視図である。
【図４】栽培補助具を培地の立壁に載せた使用例及び作物の両側に栽培補助具を設置した使用例を示す側面図である。
【図５】パイプ部材又は帯板部材を台形状に切断する状態を示す平面図である。
【図６】パイプ部材又は帯板部材を菱形状に切断する状態を示す平面図である。
【図７】パイプ部材又は帯板部材を長方形状に切断する状態を示す平面図である。
【図８】樋状蛇腹体にした栽培補助具を示す平面図である。
【図９】図９は培地の畝を覆うシートを示し、図（Ａ）はシートの構成を示す平面図である。図（Ｂ）は図（Ａ）のａ―ａ線断面図である。図（Ｃ）は別実施形態のシートの断面図である。
【図１０】図９（Ｂ）で示すシートを畝に敷設した使用状態を示す断面図である。
【図１１】図９（Ｃ）で示すシートを畝に敷設した使用状態を示す断面図である。
【図１２】別実施形態の畝端片を備えたシートの平面図である。
【図１３】さらに別実施形態の畝端片を備えたシートの平面図である。
【図１４】シートの別の使用態様を示す平面図である。
【発明を実施するための形態】
【０００８】
本発明の一実施形態を図面に基づいて説明する。図面において符号１は本発明に係る栽培補助具であり、この栽培補助具１は、プラスチック、金属等の耐候性を有する板状部材からなる本体部を、下向き湾曲形状の断面で１株又は数株に相当する長さとなし、栽培作物の培地（容器内栽培やハウス内装置栽培等の培地も含む）に位置変更及び着脱自在に設置することにより、各種態様の培地に植生する苺やレタス等作物の株元側に単独又は複数組み合わせて設けることができ、葉や茎（つるや果梗等を含む）或いは実や花等を適正姿勢に支持するものである。
【０００９】
先ず、図１〜図５に示す栽培補助具１について説明する。この栽培補助具１は、主として苺栽培に好適に使用することができる態様にしたものを示しており、そのため本体部の湾曲形状と該本体部を株元側に接近させる株元側部（後辺部）２の長さと反株元となる葉先側部（前辺部）３の長さと、本体部の外形及び湾曲形状を簡単に得られる部材として、外径が７０〜１５０ミリ程度のパイプを利用し所定箇所で切断することにより製作した。
【００１０】
即ち、上記栽培補助具１の製作手段によれば、円筒状断面のパイプを２等分状に切断すると共に、切断によって形成される樋状体（半割パイプ）を、図５で示すように交互に向きを異ならせた所定長さ位置で切断することにより、平面視で台形上の複数の栽培補助具１を能率よく製作することができた。そして、製作した栽培補助具１は、図３で示すように地面に形成される培地としての畝４の地面、或いは該畝４を覆うマルチフィルム４ａの上に、株元側部２と葉先側部３の端面を接当させるだけで簡単に設置することができた。
また栽培補助具１は、湾曲によって形成される頂部１ａを培地から３５ミリ〜７０ミリ程度の高さによって苺実を無理なく支持することができ、また支持位置の変更及び他形状の栽培補助具１との交換や撤去を容易にすることができた。
【００１１】
図示例の栽培補助具１は、長辺側を葉先側部３となして長さを２００ミリ程度とし、短辺側を株元側部２となして長さを１４０ミリ程度となるように切断することにより、平面視において左右の側端に株元側から葉先側に向けて傾斜状となる側辺部５を形成した台形状をなしている。即ち、栽培補助具１は葉先側部３の長辺から側辺部５を鋭角状にして平面視で株元側部２の短辺が収束する台形状となり、苺実とその果梗を持ち上げながら他方の手で苺株の近傍の栽培面に設置するとき、小幅な株元側部２によって近隣の葉に支障されることなく株元周りに近接させて、適正位置への差し込み作業を容易にすることができ能率よく設置することができる。この設置作業において栽培補助具１は、実を付けた複数の果梗の下方に広幅な葉先側部３を位置させることができその広い表面によって、複数の苺実並びに果梗を重なりを防止して載せ掛ける玉載せ作業を容易に行うことができる。
【００１２】
従って、栽培補助具１は、株元側部２から順次広幅に形成されている頂部１ａ及び葉先側部３に至る表面に、苺株から放射方向に伸びている各果梗に付く苺実を、該果梗が短いものの実は上向きに支持し、長い果梗は中途を頂部１ａ部分で受けながら葉先側部３側で下向きにした状態で安定的に支持する。そして、広い湾曲表面によって設置位置方向に存在する多数の実を幅方向に並べた状態で支持して、実と栽培面との接触を確実に防止することができる。また上記栽培補助具１の設置作業において、支持される苺の上方に伸びて日照を支障する葉がある場合には、当該葉を茎（つる）を曲げながら栽培補助具１を持ち上げて、その下方に葉を傷めることなく差し入れることができる。従って、栽培補助具１は葉を押さえた退避状態に規制する規制機能も発揮し、日照を確保した苺の完熟を促進し収穫品質を向上させる。
【００１３】
一方、上記栽培補助具１によって支持される苺の近隣で苺株から異方向に伸び出している実及び果梗を支持する場合には、図３に２点鎖線で示すように、別の栽培補助具１を上記と同様な簡単な設置作業によって隣接状態で設置することができ、実成りのよい苺株に対しても万遍なく簡単に支持することができる。このとき隣接して設置される２つの栽培補助具１は、互いの左右側辺部５を突合せ状に近接させることができるため、両者の突合せ部（設置コーナー）において、互いの側辺部５の間に大きな隙間を生じさせることなく、苺を広いコーナー面積によって見栄えよく並べながら効率よく支持することができる。また栽培補助具１は設置位置の移動変更が簡単であるため、苺の成長に伴い葉先側に移動する実に対しても、玉載せ作業を実の収穫と伴に随時速やかに行うことができる。
【００１４】
そして、側面視でＵ字状に湾曲している栽培補助具１は図４で示すように、例えば立壁６で囲われた畝や周囲に立壁６を有する栽培容器内の培地４で栽培される苺株に対しても同様に、使用設置することができると共に立壁６を利用して実を立壁６の外側に向けて誘導し支持することができる。この場合の栽培補助具１は、その裏面に形成される空間スペースを介し立壁６に跨らせて載せ掛けることができ、株元側部２と葉先側部３とをそれぞれ立壁６の内外に位置させた状態で簡単に設置することができる。そして、立壁６側に存在する実を本体部の表面に載せて地面との接地を防止することができ、また成長に伴い重くなり垂れ下がる実を立壁６の外側に向けて無理なく誘導して支持することができる。
【００１５】
また図４には複数の栽培補助具１によって、レタス等の葉物野菜の株元を挟んだ状態で設置する例と、左右の作物列の間に広幅な栽培補助具１を設置した例を示している。栽培補助具１は湾曲形状によってその裏面と培地との間に空間スペースを形成することができるため、このスペースの培地を利用して虫忌避剤或いは肥料等を散布することができると共に、これらの効能を雨水や日光の直接的な作用を緩衝しながら持続させることができる。また栽培補助具１は裏側のスペースに、忌避剤や防虫剤等を保持する保持部１ｂを簡単に設けることができる等の特徴がある。
【００１６】
また栽培補助具１は、本体部の全面に雨水を通過させると共に実を損傷しないで支持する大きさと形状の、丸孔やスリット或いは波目等の孔７を設けることが望ましいものである。即ち、降雨や散水時において栽培補助具１は、水を断面湾曲状の頂部１ａで分水しながら両側の傾斜面によって速やかに滑落させると共に、水を孔７から通過させて溜め水状態になることを防止する。これにより栽培補助具１は、その表面と実との接触部に表面張力によって停滞保持されようとする水を速やかに蒸散させるので、実の品質劣化を防止することができる。さらに孔７は通気によって裏面の乾燥を保持すると共に日光を通して暗所を生じさせないため、裏面に付着して住処にしようとするナメクジやダンゴムシ等の集合を防止する。また孔７は日光による栽培補助具１の加熱昇温を抑制すると共に、孔７による表面の凹凸によりダンゴムシの移動を困難にして虫被害を抑制する等の利点もある。尚、栽培補助具１の表面には栽培に好適な色彩や害虫忌避機能を有する塗料を塗布してもよく、また当該色彩や機能を有する材料を混合したプラスッチック材で形成してもよい。
【００１７】
次に、栽培補助具１の他の実施形態について図６〜図８を参照し説明する。尚、前記実施形態のものと同様な構成及び作用については説明を省略する。
先ず、図６に示す栽培補助具１は、前記図５のものと同じパイプを側辺部５が斜めに同じ向きで所定長さ毎に平行状になるように切断することにより、平面視で菱形状をなす所定長さ（２００ミリ程度）の栽培補助具１を製作する例を示している。図７に示す栽培補助具１は、前記図５のものと同じパイプを真横に所定長さ毎に平行状に切断することにより、平面視で長方形をなす所定長さ（２００ミリ程度）の栽培補助具１を製作する例を示している。即ち、これらの例で明らかな如く、同長さのパイプ又は帯板状の素材から製作される栽培補助具１の数は、斜めに切断することにより多数のものを製作することができる。
【００１８】
また上記各形状の栽培補助具１を平坦な帯板又はネット帯板等の板部材によって製作すると、その切断とＵ字状又はＶ字状等の屈曲（湾曲）加工をプレス機械によって簡単に行うことができる。また栽培補助具１はプラスッチック成形機による加工も容易であり、この場合にはより多様な形状及び表面模様の意匠性を有する栽培補助具１を製作することができる。ここで栽培補助具１をプレス機械によって製作する例について説明する。この場合には図３，図５に２点鎖線で示すように、板部材の切断並びに屈曲加工等の板取りを考慮しながら、本体部に対する設置足８の付設や凹入部９の形状等を自由に形成することがでる。また図８に示すような平面視でＵ字状等の形状をなす栽培補助具１の製作も容易である。
【００１９】
上記のように設置足８を有する栽培補助具１は、培地に対する設置足８の差し込み量を加減することにより作物の支持高さを自在に調節することができると共に、傾斜培地での滑落を防止しながら簡単に設置することができる。また凹入部９を有する栽培補助具１は、該凹入部９内に株元を入り込ませた状態で近接設置することができる。そして、２つの栽培補助具１によって、株元を前後又は左右から挟持するように設置する際に、両者を可及的に近接させることが可能になるので、苺栽培においては果梗の短い実も漏れなく受けることができ、またレタスや花類の栽培においては、葉を地面に接触させることのないように無理なく姿勢を規制することができると共に、雨水による土の跳ね返り付着等も抑制して汚損を防止することができる。
【００２０】
また栽培補助具１は図８に示すように、平面視でＵ字状に屈曲させることにより凹入部９を形成してもよいものである。この場合には凹入部９内に上記と同様に株元を入り込ませて広い範囲で実や葉を支持することができる。このように使用する栽培補助具１は、全体を肉薄とし可撓性を有する縦方向の凹凸を有する蛇腹面８ａからなる蛇腹体にすることが望ましい。即ち、この場合の栽培補助具１は、蛇腹構造による可撓性によって、平面視において図８に２点鎖線で示す真直形状、並びに実線で示す湾曲形状等を所望に選択して自由に変形させることができるので、１つの栽培補助具１を多様な作物及びその性状に適応させ利便性を有して設置することができる等の特徴がある。
【００２１】
また上記のように設置姿勢を変形可能とする栽培補助具１は、菱形網目を有するプラスッチック又は銅ネット等によるネット部材にすると、屈曲性に勝れて使用しやすい蛇腹構造を簡単に製作することができる。そこで、屈曲及び伸縮性を備えて建物に使用されるアルミ製の蛇腹型ダクトホース（直径７０〜１５０ミリ程度の換気管）を既述のように半分割切断加工して栽培補助具１を製作した。この栽培補助具１は、上記ダクトホースを半割り状にしたことにより屈曲変形性及び伸縮性に極めて勝れ３〜５倍程度に伸ばすことができたため、作物の株元の周囲を自由な形状で見栄えよく囲うと共に、作物を鉢植え栽培する容器の形状に沿っても容易に設置することができた。またアルミ製の樋状蛇腹体からなる栽培補助具１は、アルミ材特有の綺麗なシルバー反射色と蛇腹模様による独特な意匠的美観を創出するため、苺実の虫忌避作用や完熟作用を目的とした使用の他に、作物を家屋内等で容器栽培をする際に装飾性を兼ね備えて使用することができると共に、デスプレー的用途にも利用展開することができる等の特徴がある。
【００２２】
尚、本発明の試作に当たり竹、木板、銅ネット板、雨樋、エンビパイプ等の部材を検討した結果、一般に市販されている暗渠排水用の網目パイプ（直径７０〜１００ミリ程度）のものも好適であった。この網目パイプは、繊維を含有した黒色のプラスッチックパイプであり、波目状の凹凸模様の間に孔７を設けた表面形状で適当な剛性と弾性力を有して製造されている。即ち、上記網目パイプ部材による樋状の栽培補助具１は、側面視で半円弧状の断面形状がそのまま苺の性状に適して株元に設置し易く、その高さと前後幅によって様々に果梗長さの異なる実を具合よく支持することができ、且つ予め形成されている数ミリ程度の孔７を前面に有する表面は水や虫から実を好適に保護するものである。
【００２３】
また網目パイプ部材は前記図５〜図７で示すように切断加工を行い易く、台形状等任意形状の栽培補助具１を簡単に製作することができ、この栽培補助具１は、培地で使用し易く取扱い性及び意匠性にも勝れ培地での景観を高めることができた。さらに、栽培補助具１は蒲鉾状の畝４を覆うマルチフィルムの上に設置する際に、株元側部２と葉先側部３の端面が切断により凹凸状に形成されるため、滑り易いマルチフィルムの表面で滑落することなく係合状態で安定的に設置して使用することができた。また栽培補助具１は、半径方向の弾性力及び可撓性を有しているため、踏みつけた場合でも復元性に勝れて取扱い易く、且つ複数のものを重ねてコンパクトな荷姿にして保管した場合でも、変形しないで長期再使用することができるため保管及び流通性にも勝れている。
【００２４】
また上記のような部材で製作される栽培補助具１は、３０年以上の耐候性及び耐久性を有しているため、数年毎に更新する必要が無く栽培資材コストを容易に回収することができる利点もある。
ここで参考まで付記すると、上記網目パイプ部材は、長手方向の一側を切断して伸展すると帯状の平板になるものであり、この帯状網板を所定長さに切断すると、作物の株元側に敷く敷き藁に代わるネット敷板として好適化させることができた。このネット敷板をスイカやウリ並びにカボチャの実に敷設して栽培したとろ、雨水による汚損や虫害も抑制した栽培を簡単に行うことができた。尚、このネット板による敷物は、畝を覆うマルチフィルムの上でも使用することができる。
【００２５】
一方、家屋の屋根に付設される一般的なＵ字状断面の雨樋として、樋幅が１２０ミリ程度で長さ４０００ミリ程度のものが市販され多用されている。この雨樋を切断加工して製作した栽培補助具１は、予め広幅で緩やかな湾曲面によって形成されているため、単に切断加工するだけで苺枕として好適な形状の本体部にすることができた。また滑らかな表面には、苺実の栽培に好適な白色や銀色等の色彩塗料を容易に塗装することができるものであり、日光を反射して実の裏面の赤色育成を促進する機能を有しながら培地での使用と意匠性を高めることができる。
【００２６】
以上のように構成される栽培補助具１は、側面視において苺実が株元側部２から頂部１ａを越えて葉先側部３で支持される高さと幅を有して下向きに屈曲した湾曲形状の本体部を、苺の１株又は数株に相当する長さにしているため、各種態様の培地に植生する苺等作物の株元側に単独又は複数組み合わせながら位置変更自在に置くことができ、作物の成長に伴い葉や茎（つるや果梗等を含む）或いは実や花等を培地に接触させることなく適正姿勢で受けて支持することができる。また栽培補助具１は小型軽量構造によって製作されるので、廉価な栽培用の補助具（栽培資材）として運搬や保管等の利便性を有する。
【００２７】
また培地において栽培補助具１は、位置変更及び着脱を容易に行なうことができるので、特に苺栽培の玉載せ作業を容易にすると共に収穫を行い易くする。そして、栽培補助具１は所望の姿勢によって作物の株元に容易に近づけて設置することができるため、各種作物の露地栽培を品質よく促進することができる。またハウス内に設置される各種栽培装置の栽培補助具１としても簡単に使用することができる。従って、畑において簡易に設置して使用することができると共に、耐久性を有して数十年の長期間に亘り繰り返して使用することができる栽培補助具１は、小規模農家や家庭菜園での付加価値を高めて、快適で新規な苺栽培等の農作業を楽しくする等の特徴がある。
【００２８】
次に、図９〜図１３を参照し栽培補助具１を使用することができる培地の別態様について説明する。この培地は畝４の畝面（山面）或いは谷面を、新規構造の防草用のシート１０によって覆った状態で、作物として苺やレタス他主として夏野菜を栽培する態様を示している。上記シート１０は、畝幅中央の所定幅を畝方向（シート方向）に直交する幅（横幅）Ｈを有して覆うことにより防草する本体部１１と、該本体部１１から所定間隔毎のスリット１２ａを介して突出される複数の畝端片１２からなる畝端覆い部（敷藁状部）１３とにより構成している。この畝端覆い部１３は、畝方向に作物を隣接して栽培する一般的な栽培間隔（数１００ミリ〜６００ミリ程度の株間）内に、複数の畝端片１２を敷藁状に臨ませることができるシート方向の基部幅（基部縦幅）毎にスリット１２ａを後述するように形成している。
【００２９】
これによりシート１０は、畝４に載せかけた状態で敷設して畝面を所定長さで覆うことき、畝端覆い部１３において所定の株間毎に植生する作物を対向する各畝端片１２間のスリット１２ａから、シート１０の上方に突出させると共に、各株間の間に複数の畝端片１２を恰も藁を敷きつめた敷藁状態に敷設することを可能にして、畝端側の防草を図りながら敷藁時以上に散水や追肥等の各種管理作業を行い易くした栽培をすることができる。
また後述するようにシート１０には、必要により畝端片１２に作物毎に適正な株間を表示する栽培表示部１５を表記することができる。また各畝端片１２の先端には重量部１６を設けることができる。また本体部１１には、散水時や降雨時の水を本体部１１下の地面へ通水する通水孔１１ａを所望形状によって設けることができる。
【００３０】
図９（Ａ），（Ｂ）で示すシート１０は、本体部１１の両側に畝端覆い部１３を設けており、作物が畝面に２列状に植生している畝４に対しても後作業によって容易に敷設することができる。即ち、図示例のシート１０は、畝面幅の中央上方から畝端覆い部１３の畝端片１２をスリット１２ａを介して広げ、スリット１２ａ内で作物の株元を挟持状態にすることにより、株間に差し入れて隣接する複数の畝端片１２によって、図１０に示すように畝端側の地面を覆うと共に、作物を植生させない畝中央側地面を本体部１１によって覆うことができる。これにより敷設されたシート１０は、畝４の雑草繁茂を抑制して防草（除草）をすると共に、過度の昇温や乾燥を防止しながら適正に保温をすることができて栽培を促進させる。また栽培中途で幾度となく必要とされる畝４に対する、給水及び施肥並びに除草等の管理作業も容易に行うことを可能にする。
【００３１】
次に、シート１０の構造及びその使用態様について詳述する。図示例における畝４は、畝面の前後方向両端に沿って作物を２列に栽培するに標準的な小型畝として、畝幅を７００〜９００ミリ程度で高さ２００ミリ程度の畝例を示す。またこれに敷設されるシート１０は、プラスッチック製又はゴム製或いは耐腐食布製等の耐候性及び耐久性を有する肉厚シート部材を用い、重量と部材コストを勘案し厚さ０．５〜５ミリ程度にすることが望ましく、またシート全幅８００〜１０００ミリ程度となし本体部幅を３００〜４００ミリ程度にするとき、畝端片１２を形成する畝端覆い部１３の幅を２００〜３００ミリ程度にしたものを示す。そして、この場合に形成する畝端片１２の基部縦幅は、畝端覆い部１３の幅の数分の１〜５分の１程度の３〜１００ミリ程度にすることが望ましく、この場合には各畝端片１２によって敷藁作用を保持しながら培地を好適に覆うと共に、培地に植生する作物の株に畝端覆い部１３の敷設を支障なく行うことができる。尚、シート１０の厚さは、上記厚さのもが運搬や流通性に勝れるが、必要によってはそれ以上にすることもできる。
【００３２】
そこで、上記のようなシート１０を製作するための好適なシート部材として、一般的なテント倉庫やシートシャッタに使用されているビニールやポリエチレン製のシート部材、並びに路肩等の防草に使用されている防草マット等を検討したところ、いずれも切断加工が容易で所望の形状と長さに形成することができた。特に、テント倉庫やシートシャッタ用のシートは、厚さ０．５ミリ以上で素材内に繊維ネットを混入して製造されているものがあり、当該シートは薄い農用マルチフィルムのように通常風によって大きく煽られたり捲れることもなく、図１０で示すように畝４の畝面及び谷面に敷設し易いものであると共に、素材の厚さによる剛性や自重によって敷設姿勢を安定的に維持する。また上記のように厚い部材からなるシート１０は、畑において簡易にマルチング使用することができると共に、歩行移動用の通路の敷物として使用する場合でも、強度耐久性を有して破れることなく１０年以上の長期間にわたり好適に使用することができる。尚、シート１０の敷設状態において強風時の捲れを防止するためには、必要により本体部１１並びに畝端覆い部１３等に適宜なウエイトや土を載せたりアンカーによって固定することができる。
【００３３】
このようにシート１０は、畝４に単に載せ掛けるだけの簡単な作業によって敷設することができ、シート１０が敷設された畝４には、苺苗や夏物作物として一般的な茄、ピーマン、オクラ、キュウリ等の苗を、両側の畝端覆い部１３の適当箇所に対し、マルチフィルムの場合のように植付け孔の穿設作業を必要とすることなく簡単且つ速やかに植付けることができる。即ち、苗の植付けを行うときは、各種苗の栽培位置に存在している各畝端片１２を左右方向に広げるか、又は上下方向に屈曲させる等の退避移動をするだけで、畝端覆い部１３大きな隙間を形成して植付け用の地面を露出させることができ、苗を畝面に能率よく植えることができる。
【００３４】
このとき栽培表示部１５を有するシート１０は、作物を植えたり種播きをするとき、栽培表示部１５を指標として作物毎に適正な株間を定めて位置決めされた栽培位置で正確に作物を育てることができると共に、以後の管理作業等を行い易くすることができる。また栽培される作物の間に、当該作物のコンパニオンプランツとして好適な、例えば害虫忌避用のネギやハーブ等の異種作物の混植も植生位置を定めて容易に行うことができる。一方、敷設されるシート１０を介して種播きをするときは、図９（Ｂ）に２点鎖線で示すように、種播き位置に臨んでいる畝端片１２を下方に折り曲げて本体部１１の裏側に押し入れる（屈曲退避）と、該畝端片１２を種播き位置から容易に退避させて培地を局部的に露出させることができるので、ここを種播き位置として播種することにより、育つ作物の周囲を隣接する畝端片１２によって防草しながらスムーズな栽培を行うことができる。
【００３５】
また畝端片１２の先端に重量部１６を有するシート１０は、各畝端片１２が自重によって地面の凹凸に倣いながら伸長状態で先端の重量によって固定されるので、位置ズレや強風による捲れを防止する。これにより畝端覆い部１３はスリット１２ａを穿設していても、各畝端片１２の隙間を大きくしないため防草効果をより向上させる。また上記のような畝端片１２は本体部１１側が風によって直接的に捲れることを防止する。尚、重量部１６は、予め畝端覆い部１３の先端に重量のある帯状部材を接着するか、畝端覆い部１３の先端を折り曲げて貼着したのち、スリット１２ａの穿設形成をすることにより、重量部１６を有する各畝端片１２の形成を簡単に行うことができる。
【００３６】
また基部縦幅毎にスリット１２ａを介して形成される畝端片１２を有する畝端覆い部１３は、各畝端片１２を培地に対し敷藁状態にしながら敷設するので、散水及び降雨時の水を各スリット１２ａから地中に速やかに通水させると共に、栽培中途で個体肥料を追肥をする際に、施肥必要箇所の畝端片１２を上方又は下方に折り曲げ状に退避させた（屈曲退避）部位から地面に向けて容易に施肥することができる。また隣接する各畝端片１２は、各スリット１２ａ内にノズルの差し込みを容易にするので、ノズルを介して行う水や液体肥料の供給作業も支障なく行うことができる。
【００３７】
また本体部１１に通水孔１１ａを設けたシート１０は、散水時や降雨時の水を本体部１１下の地面へ通水すると共に、液肥の施肥作業も容易に行うことができる。この通水孔１１ａはシート上方への雑草の伸長を妨げるスリットや小孔等によって形成することが防草作用を保持させる上で望ましい。またシート１０は本体部１１の裏面に５０ミリ程度の間隔毎に除草用突起を設けてもよく、この場合には、シート１０を左右方向に５０ミリ程度の範囲で往復移動させると、除草用突起の移動摩擦によりシート１０下の地面に生えた幼少時の雑草を土の往復移動によって除草することができる。また畝側面の除草を行なうときは、鍬を畝側面に沿って下方から上方に移動させて行うことができ、この際に各畝端片１２は土又は鍬に押されて上方に撓むため除草作業を支障なく行うことができる等の特徴がある。
【００３８】
次に、上記のように構成されるシート１０の敷設態様について説明する。このシート１０は、作物が２列状態で既に植生している畝４に対しても、簡単に敷設することができる。この場合には、列間において上方から一方の畝端覆い部１３を挿入して一方の作物列の株間に差し入れながら、他方の畝端覆い部１３を挿入して他方の作物列の株間に差し入れて敷設し、各株を差し入れる左右の畝端片１２の姿勢を整えることによって敷設作業を完了することができる。
【００３９】
さらに、このシート１０は、必要により畝谷部４ｂに対しても敷設することができて、畝谷部を綺麗な状態に保持しながら畝側面を覆うことができる。即ち、この場合には本体部１１を畝谷部の底部に合致させた状態で、両側の畝端覆い部１３を畝側面に沿わせて敷設することができるので、雨の日でも畝谷部４ｂを泥濘にすることなく歩行移動を行い易くすることができると共に、畝側面の土崩れ等を防止することができる。このとき前記通水孔１１ａは本体部１１に溜まる雨水を地面へ通水するため、シート１０上での水の溜まりを防止し、地中での水分保持を図りながら土壌の乾燥を防止した栽培を促進することができる。
【００４０】
次に、図９（Ｃ），図１１〜図１４を参照しシート１０の別実施形態並びに使用態様等について説明する。尚、前記図９（Ａ），（Ｂ）に示すシート１０と同様な構成及び作用については説明を省略する。図示するシート１０は、本体部１１の片側にのみ複数の畝端片１２からなる畝端覆い部１３を備えた半分割状シートにすることにより、シート１０の軽量化と多様な敷設態様で各種の畑地において利便性を有して使用することができるようにしている。即ち、このシート１０は図９（Ｃ）で示すように、本体部１１のシート方向に直交する幅（横幅）ｈを前記図９（Ｂ）で示すシート１０の本体部１１の横幅Ｈの２分の１幅より大きい横幅ｈにしている。
【００４１】
このように半分割状に形成したシート１０は、２枚のものを図１０に２点鎖線で示すように、各本体部１１を重合又は近接させて畝４に敷設することができ、図１０に実線で示す１枚のシート１０と同様に畝面の全体を覆って敷設することができる。尚、この際に、半分割状のシート１０は本体部１１の幅を狭くすると、各端部間に地面を露出させる隙間を設けて敷設することができ、この隙間を利用して施肥及び前記コンパニオンプランツとしての異種作物の植付け等の作業も容易にすることができる。
【００４２】
一方、上記シート１０は図１１に示すように、作物を１列に植生する畝４の両側面に沿わせて各敷設することができ、この場合には本体部１１を畝側面に対向させると共に、畝端覆い部１３を畝面に対向させる。このとき各シート１０の畝端覆い部１３は図示例のように重合状態又は近接状態で畝面を覆うことができ、畝面の中央部に植生させる作物の株元側との隙間を小さくして地面を覆うことができる。これにより畝４に対する給水及び施肥を自由にすると共に、畝内水分の蒸散を抑制し水分及び肥料を好適に保持し栽培土壌環境を好適に保持する。また本体部１１の下部は畝谷部４ｂに沿って密着状に敷設できるため、シート１０を安定的に姿勢保持すると共に、隣接する畝４に敷設されるシート１０の本体部１１と重ねて畝谷部４ｂを隙間なく覆うことができる。従って、畝谷部４ｂの防草及び地面への通水を可能にしながら、特にサツマイモやジャガイモ等イモ類の栽培に好適化することができる。またシート１０によって畝４の側面も覆われるので、作業者の歩行移動をシート１０を介して快適にすることができて管理作業を行い易くすることができる等の特徴がある。
【００４３】
さらにシート１０は図１１に２点鎖線で示すように、本体部１１を畝側面に接当させると共に畝端覆い部１３を畝底に敷いた状態で敷設することもできる。この場合には、畝面の上方を略全開放した状態での作物栽培を可能にしながら、本体部１１によって畝側面からの水分の蒸散や肥料の流亡を防止した栽培を行うことができると共に、畝端覆い部１３によって畝谷部４ｂを覆いながら、スリット１２ａから雨水の地中排水を促すことができ、且つ作業者の歩行移動を行い易くすることができる。このように本体部１１の片側にのみ畝端覆い部１３を備えるシート１０は、各種形態の畝４及び多様な作物の栽培に適応して自由に敷設して使用することができる。また前記実施形態のものより小幅軽量であるため取扱い易くすることができると共に、簡単且つ安価に製作することができる等の特徴がある。
【００４４】
また上記各シート１０に設ける畝端片１２は、図９で示すシート長さ方向に直交する直線状のスリット１２ａを平行状にした短冊状の畝端片１２に限定することなく、例えば図１２，図１３で示す非短冊状にしてもよい。即ち、図１２に示すシート１０は、鋸刃又は波型状に屈曲させたスリット１２ａによって形成される畝端片１２からなる畝端覆い部１３を備えている。この場合には隣接する各畝端片１２が、互いの凹凸を係合させて風による大きな捲れを抑制する他、植生する作物の株元に沿って凸部が屈曲してなじみ易いため、株元周りに敷藁作用を高めて敷設することができる等の特徴がある。尚、シート１０の敷藁作用をさらに高めたい場合には、図１３に２点鎖線で示す別途製作した畝端覆い部１３を、実線で示す畝端片１２の基部側の本体部１１に重ねて貼着することによって簡単に行うことができる。
【００４５】
図１３に示すシート１０は、本体部１１側から所定間隔を有して外側に向けて交差するスリット１２ａを各穿設することにより、両スリット１２ａの間に小さな三角状の小畝端片１２ｂを設けた畝端覆い部１３を備えている。この場合には、小畝端片１２ｂを下方に折り曲げて本体部１１側に入り込ませること（屈曲退避）により、畝端覆い部１３に復元自在な栽培孔１２ｃを簡単に形成することができるので、該栽培孔１２ｃを介して播種や移植作業を簡単に行うことができると共に、栽培孔１２ｃの両側の各畝端片１２は近接状態を保持するため、畝端側及び株元周囲の防草作用を確実にする。また各畝端片１２は、先端幅が広く形成されて先端自重も大きくなるため、風による捲れを抑制して培地を覆い防草性及び敷藁効果をより高めることができる等の特徴がある。尚、この場合には、小畝端片１２ｂの基部縦幅を１００ミリ程度で且つ畝端片１２の基部縦幅を５０ミリ程度にすると、該畝端片１２の先端縦幅を１５０ミリ程度にすることができ、実用性と意匠性に優れたシート１０を創出することができる等の利点がある。
【００４６】
以上のように構成されるシート１０は、公知技術として実用新案登録第３０８９０２７号の特許文献に示される、ゴザ類の経糸を適当本数だけ間引いて製織して畑地で使用する自然素材マルチの課題を解決することができる。即ち、上記従来技術によるマルチ（シート）は、自然素材マルチは土や施肥による汚損を生じ易く、且つ雨水や乾燥に対する耐久性に劣るため長年の繰返し使用が困難であると共に、予め経糸を間引くことによって畝端覆い部に隙間を形成しているので、各隙間に雑草が繁茂し易い等の欠点がある。また製織加工を要するマルチは、大量生産をする際に、品質管理やコスト上の課題を多く抱えている。
【００４７】
これに対し本案のシート１０は、耐候性及び耐久性をする肉厚のシート部材からなり、畝幅中央の所定幅を畝方向に防草性を有して覆う本体部１１と、該本体部１１からスリット１２ａを介して、作物の株間内に複数の畝端片１２を敷藁状に臨ませることができるシート方向の基部縦幅を有して突出される、複数の畝端片１２からなる畝端覆い部１３とにより構成することを特徴としている。これによりシート１０は、前記したように畑地において長期間に亘り多様な防草使用を可能にすることができると共に、シート１０を畝４に載せかけるだけで畝面を所定長さで覆うことができ、このとき任意の株間毎に植生する作物を、対向する位置のスリット１２ａを介して隣接する畝端片１２の間を広げたり一部の畝端片１２を本体部１１側に屈曲退避させる等の手段によって培地を局部的に露出させ、露出された培地からシート１０の上方に向けて突出させると共に、各株間には複数の畝端片１２を存在させて敷藁状態に敷設するので、畝端側（株元側）の防草を図りながら散水や施肥等の各種管理作業も容易にした栽培を品質よく省力的に行なうことを可能にする。
【００４８】
またシート１０を畝４に敷設使用をしない時期や畑耕作時等において、当該シート１０は近隣の通路に敷く敷物として好適に使用することができるので、マルチ使用後のシート１０の畑外への煩雑な持ち出しや保管作業等を省力することができる。従って、シート１０は簡易型マルチング資材（敷藁用シート）として利便性と広い他用途性を備えると共に、歩行移動用の通路の敷物としても１０年以上の耐久性を有して長期間に亘る使用を可能にするので、シート部材原価の高いシート１０が、薄い農用マルチフィルムより売価高になったとしても、年間を通して畑で邪魔になることなく有効利用をすることができる。従って、小規模畑作や趣味家が行う家庭菜園での付加価値を高めて費用対効果を上げることができ、且つ快適で新規なマルチング栽培手段と楽しめる農業を創出することができる。
【００４９】
また上記構成によるシート１０は、テントハウス等に使用される耐候性及び耐久性をする肉厚の汎用シートを、シート部材として単に切断加工する等の手段によって簡単且つ安価に生産することができる等の利点がある。さらにシート１０はシート部材の製造時に所望の色や表記及び遮光性の付加が容易であり、全体を半透明白色又は緑色又は黒色系にしたり適宜な迷彩色や模様を有するものにすることができる。また図１３に点線で示すようにシート１０の内部或いは表面には、蝶や葉ダニ等の虫に対する忌避作用のある色素や反射材（例えば銀色や赤色系等の反射材）を虫忌避線１７として設けることが望ましく、この場合には敷設するシート１０によって虫害を予防することができると共に、畑地において意匠的美観を創出しながら快適な使用を促進することができる。尚、虫忌避線１７をシート内部に設ける場合には、素材内に繊維ネットを混入して製造する際に、予め繊維ネットの所定箇所に虫忌避素材を付設しておくことにより容易に製造することができると共に、虫忌避線１７の保護を図ることができる。
【００５０】
さらに、上記各態様のシート１０は図１４で示すように、カボチャ、スイカ、瓜等の作物を栽培する培地に対しても好適に使用することができる。即ち、本体部１１からスリット１２ａを介して畝端片１２の基部縦幅を３０ミリから１００ミリ程度として突設させるようにしたシート１０は、畝端覆い部１３によって上記作物の株の周囲を取り巻くように平面視で円形状（渦巻状）に敷設して栽培をすることができる。これにより、シート１０は各畝端片１２を株元周りに略円形状に培地を慮出させながら、集合状態で重ねた防草性に勝れた敷藁状態にすることができる。これにより作物への散水及び施肥は、株元周りの露出培地に直接的に行うことができ、また必要によりスリット１２ａを介して根先側にも容易に行うことができる。株元周りの防草は、集合状態で重なる畝端片１２と本体部１１とによって株元外周を広い範囲で覆って防草することができる。またシート１０を作物を囲むように敷設するとき、畝端片１２の先端側を株元に接近させることにより、基部縦幅毎に形成されるスリット１２ａを介して各畝端片１２を重ねることができるので、本体部１１側を外側にしてシート１０の円形状敷設作業を容易に行うことができる等の特徴がある。
【符号の説明】
【００５１】
１  栽培補助具
１ａ  頂部
２  株元側部
３  葉先側部
７  孔
８ａ  蛇腹面
【図１】
2015000052.tif 000003
【図２】
2015000052.tif 000004
【図３】
2015000052.tif 000005
【図４】
2015000052.tif 000006
【図５】
2015000052.tif 000007
【図６】
2015000052.tif 000008
【図７】
2015000052.tif 000009
【図８】
2015000052.tif 000010
【図９】
2015000052.tif 000011
【図１０】
2015000052.tif 000012
【図１１】
2015000052.tif 000013
【図１２】
2015000052.tif 000014
【図１３】
2015000052.tif 000015
【図１４】
2015000052.tif 000016